(57)【特許請求の範囲】
【請求項１】
前面に開口が形成されたケース本体と、
前記ケース本体の内部の前記開口を臨む収納室に上下方向に沿って複数段設けられ、かつ収納対象となる商品を載置して陳列する商品陳列部と、
吸込口を通じて前記収納室の空気を吸い込み、かつ吹出口を通じて前記収納室に空気を吹き出す態様で、前記収納室の内部と外部との間で空気を循環させる空気循環手段と、
前記空気循環手段により循環させられる空気を所定の温度に調整する温度調整手段と
を備え、前記商品陳列部に陳列された商品を所望の温度状態に維持するショーケースにおいて、
前記商品陳列部の前端部より離隔して設けられ、かつ該前端部との間に前記吹出口から吹き出された空気が通過する通過口を形成するガイド部材と、
前記ガイド部材の下方側近傍において該ガイド部材を構成する左右一対の面材支持部に前後方向に沿って揺動可能に設けられ、後方に向けて揺動した場合には、前記商品陳列部の下方の商品陳列部の商品を陳列する領域の前方側を覆う一方、前方に向けて揺動した場合には、該下方の商品陳列部に陳列された商品が前記開口を通じて取り出されることを許容する面材と、
前方に向けて揺動した前記面材を、前記商品陳列部の下部に収納させる収納部と
を備え、
前記面材支持部は、前端部が閉塞されるとともに後端部が開放された前後方向が長手方向となる長孔部を有し、
前記長孔部は、前後方向の略中央部分が前方に向かうに連れて漸次下方に傾斜し、その傾斜した部分と前端部との間で前記面材を揺動可能に支持することを特徴とするショーケース。
【請求項２】
前記ガイド部材は、前記商品陳列部の前端部に近接離反する態様でスライド可能に設けられたことを特徴とする請求項１に記載のショーケース。
【請求項３】
前記面材は、光透過性材料により構成されたことを特徴とする請求項１又は請求項２に記載のショーケース。
【発明の詳細な説明】
【技術分野】
【０００１】
本発明は、ショーケースに関し、より詳細には、収納対象となる商品を所望の温度状態に保持するショーケースに関するものである。
【背景技術】
【０００２】
従来、収納対象となる商品を所望の温度状態に保持するショーケースとして、次のようなものが知られている。前面に開口が形成されたケース本体の内部の収納室に、複数の商品陳列棚が上下方向に沿って複数段設けられており、それぞれの商品陳列棚に商品が載置されて陳列されている。また、ケース本体内であって収納室外となる個所には、吸込口を通じて吸い込んだ収納室内の空気の通路が形成されており、この空気通路には蒸発器が配設されている。該空気通路を通過する空気は、蒸発器で冷却され、その後に収納室の上部に設けられた吹出口より吹き出される。吹出口から吹き出された空気が吸込口に吸い込まれて循環することにより、商品陳列棚に陳列された商品が所望の温度に調整されて保持される。
【０００３】
このようなショーケースにおいては、各商品陳列棚に該商品陳列棚の前端部から離隔する状態で上下方向に延在するガイド部材が取り付けられ、吹出口から吹き出された空気が商品陳列棚の前端部とガイド部材との間を通過するようにしてエアカーテンを形成し、冷気漏れの低減化を図るようにしていた（例えば、特許文献１参照）。
【先行技術文献】
【特許文献】
【０００４】
【特許文献１】特開２０１０−２０７５６４号公報
【発明の概要】
【発明が解決しようとする課題】
【０００５】
ところで、近年、例えば鉄道の駅の改札口の中やホームにコンビニエンスストアが設置されている。かかるコンビニエンスストアでは、店舗事情等により、店舗の出入口の近傍にショーケースが設置されることがあり、しかも時間帯によっては出入口が常時開放状態となることで、結果的にショーケースが半屋内的に使用されることがある。
【０００６】
このようにショーケースが半屋内的に使用される環境下においては、上述した特許文献１に提案されているショーケースのように商品陳列棚とガイド部材との間でエアカーテンを形成するようにしても、出入口から侵入する外気によりエアカーテンが乱されてしまい、商品を所望の温度状態に保持することが困難となる場合があった。つまり、従来のショーケースでは、耐環境性能が不十分となることがあった。
【０００７】
本発明は、上記実情に鑑みて、耐環境性能の向上を図ることができるショーケースを提供することを目的とする。
【課題を解決するための手段】
【０００８】
上記目的を達成するために、本発明に係るショーケースは、前面に開口が形成されたケース本体と、前記ケース本体の内部の前記開口を臨む収納室に上下方向に沿って複数段設けられ、かつ収納対象となる商品を載置して陳列する商品陳列部と、吸込口を通じて前記収納室の空気を吸い込み、かつ吹出口を通じて前記収納室に空気を吹き出す態様で、前記収納室の内部と外部との間で空気を循環させる空気循環手段と、前記空気循環手段により循環させられる空気を所定の温度に調整する温度調整手段とを備え、前記商品陳列部に陳列された商品を所望の温度状態に維持するショーケースにおいて、前記商品陳列部の前端部より離隔して設けられ、かつ該前端部との間に前記吹出口から吹き出された空気が通過する通過口を形成するガイド部材と、前記ガイド部材の下方側近傍に前後方向に沿って揺動可能に設けられ、後方に向けて揺動した場合には、前記商品陳列部の下方の商品陳列部の商品を陳列する領域の前方側を覆う一方、前方に向けて揺動した場合には、該下方の商品陳列部に陳列された商品が前記開口を通じて取り出されることを許容する面材と、前方に向けて揺動した前記面材を、前記商品陳列部の下部に収納させる収納部とを備えたことを特徴とする。
【０００９】
また本発明は、上記ショーケースにおいて、前記ガイド部材は、前記商品陳列部の前端部に近接離反する態様でスライド可能に設けられたことを特徴とする。
【００１０】
また本発明は、上記ショーケースにおいて、前記面材は、光透過性材料により構成されたことを特徴とする。
【発明の効果】
【００１１】
本発明によれば、商品陳列部の前端部より離隔して設けられたガイド部材が、前端部との間に吹出口から吹き出された空気が通過する通過口を形成するので、通過口を通過する空気によりエアカーテンが良好に形成され、収納室の商品を良好に所望の温度に調整することができる。しかも、ガイド部材の下方側近傍に前後方向に沿って揺動可能に設けられた面材が、後方に向けて揺動した場合には、商品陳列部の下方の商品陳列部の商品を陳列する領域の前方側を覆うので、当該ショーケースが半屋内的に使用される環境下においても、店舗等の出入口から侵入する外気によりエアカーテンが乱されてしまうことを抑制できる。従って、耐環境性能の向上を図ることができるという効果を奏する。
【００１２】
また本発明によれば、収納部が、前方に向けて揺動した面材を商品陳列部の下部に収納させるので、ショーケースの設置環境において面材が不要となる場合には、面材をショーケースから取り外さずに収納することができるという効果を奏する。
【図面の簡単な説明】
【００１３】
【図１】図１は、本発明の実施の形態であるショーケースの内部構造を模式的に示す断面側面図である。
【図２】図２は、図１に示した１つの商品陳列棚を示す側面図である。
【図３】図３は、図２に示した商品陳列棚の縦断面図である。
【図４】図４は、面材を収納する手順を示す縦断面図である。
【図５】図５は、面材を収納する手順を示す縦断面図である。
【発明を実施するための形態】
【００１４】
以下に添付図面を参照して、本発明に係るショーケースの好適な実施の形態について詳細に説明する。
【００１５】
図１は、本発明の実施の形態であるショーケースの内部構造を模式的に示す断面側面図である。ここで例示するショーケースは、ケース本体１０を備えている。
【００１６】
ケース本体１０は、前面に開口（以下、前面開口ともいう）１０ａが形成された断熱筐体であり、その内部には収納室１１が画成されているとともに、空気循環手段２０が設けられている。
【００１７】
収納室１１は、上記前面開口１０ａを臨む態様で画成された室であり、その内部には複数の商品陳列部が上下方向に沿って複数段並ぶよう設けられている。商品陳列部の説明については後述する。
【００１８】
空気循環手段２０は、空気通路２１と循環ファン２２とを備えて構成されている。空気通路２１は、吸込口２１１から吹出口２１２に至る空気の通路である。吸込口２１１は、収納室１１の内部の空気を吸い込むための開口であり、収納室１１の左右方向に沿って延設されている。この吸込口２１１は、収納室１１の下側前方縁部、すなわちケース本体１０の前面開口１０ａの近傍の下部に配設されている。
【００１９】
吹出口２１２は、収納室１１の内部に空気を吹き出すための開口である。この吹出口２１２は、収納室１１の左右方向に延設されていて、収納室１１の上側前方縁部、すなわちケース本体１０の前面開口１０ａの近傍の上部に配設されている。
【００２０】
このような空気通路２１は、収納室１１外であってその下方にある下方ダクト２１ａと、収納室１１外であってその背面側にある背面ダクト２１ｂと、収納室１１外であってその上方にある上方ダクト２１ｃとを互いに連通した態様で構成されている。
【００２１】
循環ファン２２は、空気を循環させるものであり、下方ダクト２１ａの所定部位に配設されている。本実施の形態においては、循環ファン２２は下方ダクト２１ａの所定部位に配設されているが、本発明では、循環ファン２２の配設位置は特に限定されるものではなく、後述する循環ファン２２の機能を発揮することができる個所であればどこに配設しても構わない。
【００２２】
このような空気循環手段２０においては、循環ファン２２が駆動することにより吸込口２１１を通じて収納室１１の内部にある空気（内部空気）を吸い込み、吸い込んだ空気が空気通路２１を通過する態様で吹出口２１２まで送出し、吹出口２１２を通じて送出した空気を収納室１１の内部に吹き出すことにより、収納室１１の内部と外部との間で空気を循環させるものである。
【００２３】
上記空気通路２１には、蒸発器（温度調整手段）２５が設けられている。蒸発器２５は、図示せぬ圧縮機、凝縮器及び膨張機構とともに冷媒を循環させる冷媒循環手段を構成している。ここで圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。
【００２４】
蒸発器２５は、循環ファン２２が駆動することにより空気通路２１の背面ダクト２１ｂを下方から上方に向けて通過する空気と、膨張機構で断熱膨張させた冷媒とを熱交換させるもの、より詳細には、冷媒を蒸発させることにより背面ダクト２１ｂを通過する空気を冷却するものである。この蒸発器２５で蒸発した冷媒は、再び圧縮機に戻り圧縮されることになる。
【００２５】
上記商品陳列部は、複数（図示の例では４つ）の商品陳列棚３０と商品陳列デッキ４０とを備えている。
【００２６】
各商品陳列棚３０は、図２に示すように、収納室１１の後方側において左右一対となる態様で立設された図示せぬ棚柱に係止された左右一対のブラケット３１に、平板状の棚板３３がレール部材３２を介して架け渡されるよう支持されることで構成されている。つまり、各商品陳列棚３０は、ブラケット３１が棚柱に係止されることにより所定の高さレベルに配設されており、棚板３３の上面に商品を載置して商品を陳列するものである。
【００２７】
また、商品陳列棚３０を構成する棚板３３の下面に設けられた棚板ローラ支持部３３１には図示せぬ棚板ローラが回転可能に支持されており、この棚板ローラが上記レール部材３２に転動可能に載置されている。このレール部材３２には、ブラケット３１に回転可能に支持されたブラケットローラ（図示せず）が棚板ローラとは異なる個所で回転可能に載置されている。これにより、棚板３３は、棚板ローラ及びブラケットローラがレール部材３２を転動することで、ブラケット３１に対して前後方向に沿ってスライド可能なものである。
【００２８】
図３は、図２に示した商品陳列棚３０の縦断面図である。この図３にも示すように、各商品陳列棚３０には、ガイド部材５０、面材６０及び収納部７０が設けられている。
【００２９】
ガイド部材５０は、左右方向が長手方向となる長尺状部材である。このガイド部材５０は、左右両端部に左右一対のアーム部５１が設けられている。かかるアーム部５１には、前後方向が長手方向となる長孔５１ａが形成されており、商品陳列棚３０の前端部に形成された図示せぬ貫通孔を貫通する締結部材（図示せず）が長孔５１ａを貫通することで、アーム部５１は、商品陳列棚３０の前端部に締結されている。
【００３０】
このようなガイド部材５０は、締結部材が長孔５１ａを相対的に前後に移動することで、商品陳列棚３０の前端部に対して近接離反する態様で前後方向に沿ってスライド可能である。そして、ガイド部材５０が、前方に向けてスライド移動した場合、商品陳列棚３０の前端部から離隔しており、これにより該商品陳列棚３０の前端部との間に通過口５２（図１参照）が形成される。
【００３１】
面材６０は、例えばアクリル樹脂やガラス等の透光性材料から形成された透明体である。この面材６０は、左右一対の上記ブラケット３１間の略全域に亘って延在しており、左右方向が長手方向となる長尺状の矩形板状部材である。このような面材６０の左右両端面の上端部（基端部）には、左右に突出する軸状部６１が形成されている。かかる軸状部６１は、円柱形状を成している。このような面材６０は、次のようにして各商品陳列棚３０に設けられている。
【００３２】
上述したアーム部５１には、それぞれ面材支持部５３が取り付けられている。面材支持部５３は、左右一対となるものであり、前後方向が長手方向となる長孔部５４を有している。この長孔部５４は、前端部が閉塞される一方、後端部が開放されている。また、面材支持部５３は、前後方向の略中央部分が前方に向かうに連れて漸次下方に傾斜しており、これにより長孔部５４もその途中で前方に向かうに連れて漸次下方に傾斜している。
【００３３】
このような面材支持部５３の長孔部５４に面材６０の軸状部６１が内方側から挿通することで、面材６０は、面材支持部５３に架設されて設けられている。そして、面材６０は、軸状部６１の中心軸回りに揺動可能である。すなわち、面材６０は、下端部（先端部）が前後方向に沿って揺動可能である。
【００３４】
上述したように、面材支持部５３は上記中央部分が傾斜しているので、面材６０の軸状部６１は、長孔部５４の前端部と傾斜部分との間を挿通している。
【００３５】
そして、面材６０は、常態においては、自身の自重により先端部が当該商品陳列棚３０の直下の商品陳列棚３０に設けられたガイド部材５０に近接した待機姿勢となる。尚、上から４段目の商品陳列棚３０に設けられた面材６０は、常態においては、自身の自重により、商品陳列デッキ４０の前方域であって吸込口２１１の上方側近傍に先端部が配置された待機姿勢となる。つまり、面材６０は、後方に向けて揺動した場合には、当該商品陳列棚３０の直下の商品陳列部（商品陳列棚３０又は商品陳列デッキ４０）の商品を陳列する領域Ｓの前方側の大部分を覆うものである。
【００３６】
その一方、面材６０は、前方に向けて揺動した場合には、当該商品陳列棚３０の直下の商品陳列部（商品陳列棚３０及び商品陳列デッキ４０）の商品を陳列する領域Ｓの前方側を開放して、該商品陳列部に陳列された商品が前面開口１０ａを通じて取り出されることを許容するものである。
【００３７】
収納部７０は、棚板３３の下方側において、上記ブラケット３１の内面において内方に向けて突出するよう設けられた左右一対のものである。これら収納部７０は、前後方向が長手方向となり、前方に向かうに連れて漸次下方に傾斜しており、棚板３３の下面との間で前後方向が長手方向となる長溝部７１を形成するものである。長溝部７１は、前方に向かうに連れてその上下幅が漸次大きくなるものであるが、その全域に亘って上記軸状部６１が挿通することを許容する大きさを有している。これら長溝部７１は、前端部及び後端部がともに開放されており、前端部は、長孔部５４の後端部と同一の高さレベルにあり、アーム部５１が後方にスライド移動した場合に、長孔部５４の後端部と連通することが可能である。尚、図３中の符号７２は、収納部７０の後端部、すなわち長溝部７１の後端部に設けられたストッパ部材である。
【００３８】
以上のような構成によるショーケースにおいては、循環ファン２２及び圧縮機が駆動することにより、収納室１１の内部の空気は、吸込口２１１を通じて吸い込まれ、下方ダクト２１ａを通過し、背面ダクト２１ｂに進入して蒸発器２５で冷却され、冷気となって上方ダクト２１ｃを通過し、吹出口２１２より吹き出される。
【００３９】
そして、各ガイド部材５０が前方に向けてスライド移動して該各ガイド部材５０と各商品陳列棚３０との間に通過口５２が形成されるとともに、各面材６０が待機姿勢となる場合、吹出口２１２から吹き出された空気の大部分は、通過口５２を通過して吸込口２１１に吸い込まれることでエアカーテンを形成する。このエアカーテンにより区切られる収納室１１の商品、すなわち商品陳列部（商品陳列棚３０及び商品陳列デッキ４０）に載置された商品が所望の温度に冷却される。
【００４０】
また、吹出口２１２から吹き出された空気の一部は、各商品陳列棚３０に設けられた待機姿勢の面材６０の前方側を該面材６０の延在方向（上下方向）に沿って通過した後に前面開口１０ａより外部に排出される。つまり、商品陳列部（商品陳列棚３０及び商品陳列デッキ４０）に設けられた面材６０は、待機姿勢となる場合に、自身の前面側に吹出口２１２から吹き出された空気を通過させるものである。
【００４１】
ところで、ショーケースの設置環境により上記通過口５２及び上記面材６０が不要となる場合には、次のようにして面材６０を収納することができる。
【００４２】
図４に示すように、ガイド部材５０（アーム部５１）を後方に向けてスライド移動させることにより、通過口５２を無くすことができる。この場合、アーム部５１に取り付けられた面材支持部５３の長孔部５４の後端部は、収納部７０の長溝部７１の前端部と連通する。
【００４３】
そして、長孔部５４を挿通する軸状部６１を該長孔部５４の前端部から後端部まで相対的に移動させ、その後に該軸状部６１の中心軸回りに面材６０を前方に向けて揺動させて水平姿勢にさせる。
【００４４】
水平姿勢にさせた面材６０を後方に向けて移動させることで、図５に示すように、軸状部６１が長溝部７１を相対的に後方に向けて移動する結果、収納部７０に面材６０を収納させることができる。ここで、面材６０の左右幅は、ブラケット３１間の略全域に亘るだけの大きさを有しており、収納部７０は、ブラケット３１の内面において内方に突出するよう設けられているので、面材６０の左右両端部は収納部７０に載置されている。
【００４５】
以上説明したように、本実施の形態であるショーケースによれば、商品陳列棚３０（商品陳列部）に設けられたガイド部材５０が、該商品陳列棚３０との間に吹出口２１２から吹き出された空気を通過する通過口５２を形成するので、これら通過口５２を通過する空気によりエアカーテンが良好に形成され、収納室１１の商品を良好に所望の温度に調整することができる。しかも、ガイド部材５０の下方側近傍に設けられた面材６０が、待機姿勢となる場合に、直下の商品陳列部（商品陳列棚３０及び商品陳列デッキ４０）の商品を載置する領域Ｓの前方側を覆うので、当該ショーケースが半屋内的に使用される環境下においても、店舗等の出入口から侵入する外気によりエアカーテンが乱されてしまうことを抑制できる。従って、耐環境性能の向上を図ることができる。
【００４６】
特に、収納部７０にて面材６０を収納することができるので、ショーケースの設置環境において面材６０が不要となる場合には、面材６０をショーケースから取り外さずに収納することができる。
【００４７】
上記ショーケースによれば、商品陳列部（商品陳列棚３０及び商品陳列デッキ４０）に設けられた面材６０は、待機姿勢となる場合に、自身の前面側に吹出口２１２から吹き出された空気を通過させるので、面材６０に結露等が生じてしまうことを抑制することができる。
【００４８】
上記ショーケースによれば、商品陳列部（商品陳列棚３０及び商品陳列デッキ４０）に取り付けられた面材６０は、透明体により構成されているので、該面材６０が待機姿勢にある場合に、商品陳列部（商品陳列棚３０及び商品陳列デッキ４０）に載置されている商品の視認性を確保することができる。
【００４９】
以上、本発明の好適な実施の形態について説明したが、本発明はこれに限定されるものではなく、種々の変更を行うことができる。
【００５０】
上述した実施の形態では、面材６０は、商品陳列棚３０の左右方向の略全域に亘って延在するものであったが、本発明においては、面材は１つの商品陳列棚に複数取り付けられていてもよく、個々の左右方向の長さは、商品陳列部（商品陳列棚及び商品載置デッキ）に載置される商品の列の左右幅に等しいものであってもよい。
【００５１】
上述した実施の形態では、面材６０は、待機姿勢となる場合、先端部が直下の商品陳列棚３０のガイド部材５０に近接していたが、本発明においては、面材は、先端部がガイド部材に接していてもよい。
【００５２】
上述した実施の形態では、蒸発器２５を温度調整手段の一例として説明したが、本発明においては、空気循環手段により循環させられる空気を加熱する加熱手段が温度調整手段を構成してもよい。
【符号の説明】
【００５３】
１０  ケース本体
１０ａ  前面開口
１１  収納室
２０  空気循環手段
２１  空気通路
２１１  吸込口
２１２  吹出口
２２  循環ファン
２５  蒸発器
３０  商品陳列棚
３３  棚板
５０  ガイド部材
５２  通過口
６０  面材
７０  収納部
Ｓ  領域
【図１】
0006696187.tif 000002
【図２】
0006696187.tif 000003
【図３】
0006696187.tif 000004
【図４】
0006696187.tif 000005
【図５】
0006696187.tif 000006